(57)【特許請求の範囲】
【請求項１】
再生専用記録媒体又は記録再生用記録媒体が着脱可能な着脱位置と前記再生専用記録媒体の信号を再生し又は前記記録再生用記録媒体に信号を記録又は再生する記録・再生位置とを備えたローディング手段と、前記記録再生用記録媒体が前記記録・再生位置に配置されている場合に前記記録再生用記録媒体に記録される信号に応じた極性の磁界を印加する磁気記録手段と、前記磁気記録手段の動作を規制する規制手段とを備え、前記磁気記録手段は前記記録再生用記録媒体に記録される信号に応じた極性の磁界を印加する磁気記録部と、前記磁気記録部が一端に設けられ他端を第１の軸として前記再生専用記録媒体又は前記記録再生用記録媒体に対して上下方向に回動可能な保持部とを備え、前記規制手段は一端を第２の軸として前記保持部の回動に伴って前記再生専用記録媒体又は前記記録再生用記録媒体に対して上下方向に回動可能な回動部と、前記回動部の一部に設けられかつ前記保持部が接触する抑制部と、前記回動部の一部であって前記ローディング手段が記録・再生位置にある場合に前記再生専用記録媒体又は前記記録再生用記録媒体に相対する面に設けられた第１の規制部及び第２の規制部とを備え、前記第１の規制部は前記ローディング手段が前記再生専用記録媒体を伴って記録・再生位置にある場合に前記再生専用記録媒体を収納した筐体の外側に接触して前記磁気記録部と前記筐体とが接触しないように規制し、前記ローディング手段が前記記録再生用記録媒体を伴って記録・再生位置にある場合は前記記録再生用記録媒体を収納した筐体に接触しない構成とし、前記第２の規制部は前記ローディング手段が前記記録再生用記録媒体を伴って記録・再生位置にある場合に前記再生専用記録媒体を収納した筐体の外側に接触し前記磁気記録部を前記記録再生用記録媒体に信号を記録可能な位置まで移動可能にするとともに前記記録可能な位置を越えて移動することを抑制する構成とした記録再生装置。
【請求項２】
前記第１の軸と前記第２の軸とは異なる軸とした請求項１に記載の記録再生装置。
【発明の詳細な説明】
【０００１】
【発明の属する技術分野】
本発明は、情報を記録再生する記録再生装置、特に、光磁気ディスクの記録再生装置に関するものである。
【０００２】
【従来の技術】
従来から、着脱位置と記録・再生位置のみを有する記録再生装置のローディング装置として、例えば、特開平６−２０３２７号公報に開示されている。
図２６において、１００１はシャーシ基板で、このシャーシ基板１００１にディスク回転駆動機構及び光磁気記録再生機構が設置されており、ディスク回転駆動機構はスピンドルモータとこのスピンドルモータにより回転駆動されるターンテーブルとから構成され、ターンテーブルは中心部にディスクチャッキング部材が備えられてシャーシ基板１００１の表面側に突出されている。
【０００３】
また、光磁気記録再生機構はターンテーブルにチャッキングされる光磁気ディスクＤの一方の面に対向して位置し、レーザ光を照射する光学ピックアップ装置と他方の面に対向して位置し、外部磁界をかける磁界ヘッド１００５から構成され、光学ピックアップ装置は光学ピックアップ取付け側アーム（以下、ピックアップアームという）に取付けられ、磁界ヘッド１００５は磁界ヘッド取付け側アーム（以下、ヘッドアームという）１００７にジンバルばね１００８に支持されて取付けられており、ピックアップアームはシャーシ基板１００１に設置された移動機構（図示せず）に取付けられてターンテーブルに対して接離方向、即ち、ターンテーブルにチャッキングされる光磁気ディスクＤの内外径方向に直線移動され、このピックアップアームにヘッドアームが起伏回転可能に連結されている。
【０００４】
このピックアップアームとヘッドアーム１００７とは、ピックアップアームの後端部にシャーシ基板１００１の表面側に立上る軸受部を形成し、一方、ヘッドアーム１００７の後端部には軸支部１００７ａを下向きに形成して、この軸受部１００６ａと軸支部１００７ａとをその端部において軸により軸着することにより連結しており、ヘッドアーム１００７はピックアップアームに対して常時倒伏方向に回転付勢されるように軸着部にトーションスプリングが巻装され、またピックアップアームの軸受部にはヘッドアーム１００７を後述する所定の倒伏回転位置において位置決めする回転規制部が突設されている。
【０００５】
このようにピックアップアームに連結されるヘッドアーム１００７に取付けられる磁界ヘッド１００５はピックアップアームに取付けられる光学ピックアップ装置の対物レンズと上下方向に対向されて、光学ピックアップ装置と一体に光磁気ディスクの内外径方向に移動される。
【０００６】
このようにディスク回転駆動機構及び光磁気記録再生機構が設置されるシャーシ基板１００１の表面側にはヘッドアーム１００７との間に位置してカートリッジホルダー１０１２が起伏可能に、その後端側において軸着、即ち、後端側面下方に形成した軸支部１０１２ａをシャーシ基板１００１の後端側部に切起伏に形成された軸受部１００１ａに、軸１０１３により軸着してある。
【０００７】
このカートリッジホルダー１０１２は光磁気ディスクを収納したディスクカートリッジを挿入保持するもので、シャーシ基板１００１に対してターンテーブル及び光学ピックアップ装置上を覆うようにして水平倒伏状態で停止するディスク装填位置と、ターンテーブル側から離れるように起上して停止し、ディスクカートリッジの挿抜を可能にするカートリッジ挿抜位置に跨がって起伏回動するものである。
【０００８】
このカートリッジホルダー１０１２は全体としてディスクカートリッジが挿入保持されるに十分な大きさの略平板状で、主面部１０１２ｂの両側縁を下方へ断面Ｌ字状に折曲してカートリッジ支持部１０１２ｃ、１０１２ｄが形成されて、この両支持部１０１２ｃ、１０１２ｄ間にディスクカートリッジが挿抜可能な収容部が形成されており、主面部１０１２ｂにはディスクカートリッジの開口窓に対応、即ち、磁界ヘッド１００５の移動方向に対応して窓１０１２ｅが形成され、また、主面部１０１２ｂの前端両側及び両支持部１０１２ｃ、１０１２ｄの前端下面側に傾斜ガイド片１０１２ｂ１、１０１２ｂ２及び１０１２ｃ１、１０１２ｄ１が形成されてディスクカートリッジの挿入を案内するように構成されている。
【０００９】
なお、図示しないが、カートリッジホルダー１０１２は付勢ばね部材により常時起上方向に付勢され、水平倒伏状態ではシャーシ基板１００１側にロック部材によりロック保持されるようになされており、また、カートリッジホルダー１０１２内にはディスクカートリッジのシャッターを開放する開放部材と、ディスクカートリッジを挿入状態でロック保持するロック部材が備えられている。
【００１０】
そして、ヘッドアーム１００７とカートリッジホルダー１０１２との間にディスクカートリッジの開口窓の開閉状態を検出し、ヘッドアーム１００７の起伏を制御する検出制御機構が配設されている。
即ち、検出制御機構は、ヘッドアーム１００７とカートリッジホルダー１０１２の窓１０１２ｅとの間に配される連結プレート１０１４と、この連結プレート１０１４のカートリッジホルダー１０１２側の端部に取付けられる検出軸１０１５とから構成されており、連結プレート１０１４は基端部１０１４ａに軸ピン１０１６が植立されてこの軸ピン１０１６をヘッドアーム１００７の後半部位に、このヘッドアーム１００７の移動方向と直交する方向に長く形成された長孔１００７ｂに下側から回転及び長手方向に摺動可能で上下方向には不動状態に取付けられている。また連結プレート１０１４のカートリッジホルダー１０１２側の端部、即ち、先端部１０１４ｂに貫通して取付けられた検出軸１０１５は、カートリッジホルダー１０１２の窓１０１２ｅの前縁外端部に突出形成された軸受突片１０１２ｆに穿設された軸孔１０１２ｇに上側（外側）から回転及び軸方向に摺動可能に挿通係合してある。
【００１１】
ここで、以上のように構成される光磁気ディスク記録再生装置に用いるディスクカートリッジの一例を図２５乃至図２７を参照して説明する。
図２７及び図２８において１１１１は光磁気記録再生用のディスクカートリッジの全体を示し、上ハーフ１１１３と下ハーフ１１１４とを合体して形成されたカートリッジ本体１１１２と、このカートリッジ本体１１１２内に回転自在に収納された光磁気ディスクＤとによって構成されている。
【００１２】
このディスクカートリッジ１１１１は記録再生用であるためカートリッジ本体１１１２の上下両ハーフ１１１３及び１１１４には対向して、光磁気ディスクＤの一部が表出され、磁界ヘッド５及び光学ピックアップ装置４に対応される開口窓１１１３ａ、１１１４ａが形成され、下ハーフ１１１４の略中央部には光磁気デイスクＤを回転駆動するディスク回転駆動機構のターンテーブル１００３が挿入される円形開口部１１１４ｂが形成されており、また、このカートリッジ本体１１１２には開口窓１１１３ａ及び１１１４ａを開閉する上下の覆板部１１１６ａ及び１１１６ｂを有する断面略コ字状の金属薄板からなるシャッター１１１６が摺動自在に取付けられている。
【００１３】
そして、このカートリッジ本体１１１２の周縁部には下面側から周面側にかけて各種の検出部及び係止部が形成されており、１１１２ａはカートリッジ検出ピンが挿入されカートリッジの種別を検出する検出溝で、このディスクカートリッジ１１１１は記録再生用であるため浅く形成してあり、また１１１２ｂはロック機構の係止片が係合される係止凹部である。また、カートリッジ本体１１１２の下面にはシャーシ基板１００１の案内ピンが係合される位置決め孔１１１２ｃ、１１１２ｄが形成されている。
【００１４】
また、図２９において１２１１は再生専用のディスクカートリッジの全体を示し、このディスクカートリッジ１２１１も、カートリッジ本体１２１２は上ハーフ１２１３と下ハーフ１２１４とを合体して形成され、このカートリッジ本体１２１２内に光ディスクＤが回転自在に収納されている。
このディスクカートリッジ１２１１は再生専用であるため、カートリッジ本体１２１２の上ハーフ１２１３には磁界ヘッド１００５に対応される面１２１３ａに開口窓は形成されておらず、下ハーフ１２１４のみに光学ピックアップ装置１００４に対応する開口窓１２１４ａが形成され、この下ハーフ１２１４の略中央部にターンテーブル１００３が挿入される円形開口部１２１４ｂが形成されており、また、このカートリッジ本体１２１２には、開口窓１２１４ａを開口する覆板部１２１６ａを有するシャッター１２１６が摺動自在に取付けられている。
【００１５】
そして、このカートリッジ本体１２１２の周縁部にも各種の検出部及び係止部が形成されているが、カートリッジの種別を検出する検出溝１２１２ａは、このディスクカートリッジ１２１１が再生専用であるため深く形成してあり、その他の係止凹部１２１２ｂ、位置決め孔１２１２ｃ、１２１２ｄは前述した図２６及び図２７に示すディスクカートリッジ１１１１と同様に形成されている。
【００１６】
【発明が解決しようとする課題】
しかしながら上記従来の着脱位置と記録・再生位置のみを有する記録再生装置では、外部からの振動がＲＡＭやＲＯＭ又はＲＡＭカートリッジなどに衝突し磁気ヘッドやＲＡＭなどが破損するという問題点があった。
本発明は、上記従来の課題を解決するもので、ローディング装置は着脱位置と記録・再生位置のみを有するのであって、外部からの振動がＲＡＭやＲＯＭ又はＲＡＭカートリッジなどに衝突し磁気ヘッドやＲＡＭなどが破損することを抑制できるようにするものである。
【００１７】
【課題を解決するための手段】
上記課題を解決するために、本発明の記録再生装置は、再生専用記録媒体又は記録再生用記録媒体が着脱可能な着脱位置と前記再生専用記録媒体の信号を再生し又は前記記録再生用記録媒体に信号を記録又は再生する記録・再生位置とを備えたローディング手段と、前記記録再生用記録媒体が前記記録・再生位置に配置されている場合に前記記録再生用記録媒体に記録される信号に応じた極性の磁界を印加する磁気記録手段と、前記磁気記録手段の動作を規制する規制手段とを備え、前記磁気記録手段は前記記録再生用記録媒体に記録される信号に応じた極性の磁界を印加する磁気記録部と、前記磁気記録部が一端に設けられ他端を第１の軸として前記再生専用記録媒体又は前記記録再生用記録媒体に対して上下方向に回動可能な保持部とを備え、前記規制手段は一端を第２の軸として前記保持部の回動に伴って前記再生専用記録媒体又は前記記録再生用記録媒体に対して上下方向に回動可能な回動部と、前記回動部の一部に設けられかつ前記保持部が接触する抑制部と、前記回動部の一部であって前記ローディング手段が記録・再生位置にある場合に前記再生専用記録媒体又は前記記録再生用記録媒体に相対する面に設けられた第１の規制部及び第２の規制部とを備え、前記第１の規制部は前記ローディング手段が前記再生専用記録媒体を伴って記録・再生位置にある場合に前記再生専用記録媒体を収納した筐体の外側に接触して前記磁気記録部と前記筐体とが接触しないように規制し、前記ローディング手段が前記記録再生用記録媒体を伴って記録・再生位置にある場合は前記記録再生用記録媒体を収納した筐体に接触しない構成とし、前記第２の規制部は前記ローディング手段が前記記録再生用記録媒体を伴って記録・再生位置にある場合に前記再生専用記録媒体を収納した筐体の外側に接触し前記磁気記録部を前記記録再生用記録媒体に信号を記録可能な位置まで移動可能にするとともに前記記録可能な位置を越えて移動することを抑制する構成とした。
【００１８】
【発明の実施の形態】
以下、本発明の光磁気記録再生装置について、図面を参照しながら説明する。
（実施の形態１）
以下に本発明の第１の実施の形態について説明する。
まず、光磁気記録再生装置において、光磁気ディスクのディスクカートリッジを脱着位置から記録・再生位置まで搬送するローディング装置（据置型）について説明する。
【００１９】
図１は本発明の実施の形態におけるディスクカートリッジのローディング装置の全体構成を示す斜視図である。このディスクカートリッジのローディング装置は、図１に示すように、ディスク状の記録媒体である光磁気ディスクを包含するディスクカートリッジ１０を固定して保持する保持手段としてのホルダーユニット１００と、そのディスクカートリッジ１０に対して再生および記録せしめる記録再生手段としての記録再生ユニット２００と、ホルダーユニット１００を移動せしめる搬送手段としての搬送ユニット３００と、その搬送ユニット３００を駆動する駆動手段を有するシャーシユニット４００とで構成されている。
【００２０】
つぎに、ホルダーユニット１００の構成について説明する。図２はホルダーユニット１００の分解斜視図であり、このホルダーユニット１００には、デイスクカートリッジを支持して保持するためのホールド機構、ディスクカートリッジのシャッターを開閉する機構、ディスクカートリッジを記録再生ユニットに押圧する機構などが設けられており、それぞれの機構は、図２に示すトップカバー１に取付けられている。
【００２１】
図２において、ホールドレバー（Ｌ）２は、凸部２ａを有し、この凸部２ａをトップカバー１の凹部１ａに嵌合させた状態で、ネジ７によってトップカバー１に固定されたホルダー（Ｌ）４とトップカバー１とによって挟み込まれて保持されている。この時、ホールドレバー（Ｌ）２の先端カム部２ｂは板ばね部２ｃにより回動可能になっている。
【００２２】
一方、ホールドレバー（Ｒ）３は、凸部３ａを有し、この凸部３ａをトップカバー１の凹部１ｂに嵌合させた状態で、ネジ７によってトップカバー１に固定されたホルダー（Ｒ）５とトップカバー１とによって挟み込まれて保持されている。この時、ホールドレバー（Ｒ）３の先端カム部３ｂは板ばね部３ｃにより回動可能になっている。
【００２３】
したがって、両サイドのホールドレバー（Ｌ）２およびホールドレバー（Ｒ）３は、それらの先端カム部２ｂおよび先端カム部３ｂが図２６に示すデイスクカートリッジ１０の凹部１０ａに係合することにより、ディスクカートリッジ１０を支持することになる。
シャッタースライダー８は、その端面をトップカバー１の凹部１ｃおよびホルダー（Ｒ）５の凹部５ａに嵌合させた状態で、それらトップカバー１とホルダー（Ｒ）５とによって挟み込まれてシャッターの開閉方向に摺動可能に保持されている。また、シャッタースライダー８は、その先端部にバネ部８ａを有しており、このバネ部８ａを図１４に示すディスクカートリッジ１０のシャッター凹部１０ｂに係合させる。
【００２４】
押えバネ（Ｌ）９は、その支持部９ａをトップカバー１のフック部１ｄと係合させた状態で、トップカバー１に回動自在に取付けられ、先端凸部９ｂによって図１４に示すデイスクカートリッジ１０の上面を押圧する構成となっている。
各ホルダー軸６は、それぞれ搬送ユニット３００上で自在に移動するように、ホルダー（Ｌ）４およびホルダー（Ｒ）５にカシメによって取付けられている。
【００２５】
つぎに、記録再生ユニット２００の構成について説明する。図３は記録再生ユニット２００の分解斜視図であり、この記録再生ユニット２００は記録再生装置１１、この記録再生装置１１を保持するトラバースフレーム１２（以下、ＴＲＶフレームという。）、記録再生装置１１のターンテーブル１１ａと光ピックアップ１１ｂと磁気ヘッド１１ｃを駆動するモーター（図示せず）、記録再生装置１１の磁気ヘッド１１ｃを昇降させるヘッドシフター１３等を有している。
【００２６】
図３において、記録再生装置１１はＴＲＶフレーム１２にネジ１４により固定されている。また、ヘッドシフター１３は、回動軸１３ａがＴＲＶフレーム１２の孔部１２ａと係合することにより回動自在になっており、この回動により磁気ヘッド１１ｃを回動させる。なお、ヘッドシフター１３は、その一側面には凸部１３ｂがあり、この凸部１３ｂを後述の搬送ユニット３００のカム溝に係合しながら回動するよう構成されている。ここで、ＴＲＶフレーム１２は記録再生装置を搭載しているベースである。
【００２７】
ＴＲＶフレーム１２は、その回動軸１２ｂが図５に示すシャーシユニット４００におけるシャーシ２１の孔部２１ｂに係合することにより回動自在となっている。なお、ＴＲＶフレーム１２は、その両側面には凸部１２ｃがあり、この凸部１２ｃを後述の搬送ユニット３００のカム溝に係合しながら回動するよう構成されている。
【００２８】
つぎに、搬送ユニット３００の構成について説明する。図４は搬送ユニット３００の分解斜視図であり、この搬送ユニット３００は後述の駆動系から駆動力を伝達されるラック手段としてのスライドラック１５、その駆動によりホルダーユニット１００及び記録再生ユニット２００を駆動するカム溝が形成されたスライダー２０等を有している。
【００２９】
図４において、図中の矢印ａの方向は、スライダー２０のディスクカートリッジ１０に対する着脱位置から記録・再生位置への移動方向（セット外部から内部への方向）を示すものであり、また矢印ｂの方向は、ａ方向とは逆、つまりスライダー２０のディスクカートリッジ１０に対する記録・再生位置から着脱位置への移動方向（セット内部から外部への方向）を示すものである。
【００３０】
スライドラック１５は、そのフック部１５ａをスライダー２０の溝部２０ａに係合させることにより、スライダー２０にａ方向及びｂ方向に移動自在に取付けられている。また通常、スライドラック１５はラックバネ１９によってａ方向に押圧されている。
スライダー２０は、その下方の両側に対向して設けられた凸部２０ｈを図５に示すシャーシユニット４００におけるシャーシ２１の凹部２１ａと係合させることにより、シャーシ２１にａ及びｂ方向に往復移動可能に取付けらている。
【００３１】
この状態で、スライダー２０のカム溝部２０ｂが前述の記録再生ユニット２００におけるＴＲＶフレーム１２の凸部１２ｃと係合し、かつカム溝部２０ｃがヘッドシフター１３の凸部１３ｂと係合しているので、スライダー２０が、ａ方向に移動して記録・再生位置に位置すると、その記録・再生位置で記録再生装置１１が回動上昇するとともに磁気ヘッド１１ｃが回動下降してディスクカートリッジ１０に対して記録・再生を可能とする。
【００３２】
また、スライダー２０にはスイッチカム溝１６が固定されており、このスイッチカム溝１６が、スライダー２０のａ及びｂ方向への移動に伴って、後述のスイッチレバーを介してシャーシ２１に取付けられたスイッチをＯＮ／ＯＦＦさせることにより、スライダー２０のディスクカートリッジ１０に対する着脱位置や記録・再生位置などの各位置が検出される。
【００３３】
また、スライダー２０には、増速手段としてのバックレバー１７が、その回動中心軸１７ａがスライダー２０の回動センター２０ｄに回動自在に軸支された状態で取付けられ、ｃ及びｄ方向に回動可能になっている。このバックレバー１７の孔部１７ｂは、スライダー２０の孔溝部２０ｅを介して前述のホルダーユニット１００のホルダー軸６に係合している。この時、バックレバー１７に一端が固定された押圧手段としてのバックレバーバネ１８は、ホルダー軸６に接触して常にホルダー軸６をｃ方向に押圧している。
【００３４】
一方、バックレバー１７の凸部１７ｃは、スライダー２０の孔部２０ｆを介して図５に示すシャーシ２１のカム溝２１ｃに係合している。この時、スライダー２０の溝部２０ｇはホルダー（Ｌ）４およびホルダー（Ｒ）５の凸部４ａおよび凸部５ｂをガイドしている。
つぎに、シャーシユニット４００の構成について説明する。図５はシャーシユニット４００の分解斜視図であり、このシャーシユニット４００においては、前述の搬送ユニット３００のスライドラック１５を駆動する各種駆動機構や、ホルダーユニット１００に支持され保持されたディスクカートリッジ１０を再生記録するための記録再生ユニット２００のＴＲＶフレーム１２の回動軸１２ｂを回動支持する機構などが固定フレームとしてのシャーシ２１に取付けられている。
【００３５】
図５において、駆動モータ２２がシャーシ２１の底面裏側に取付けられたローディング基板３０上に実装されており、シャーシ２１に形成された裏面開口の凹部２１ｄ内に配設されている。駆動モータ２２の駆動力が伝えられる減速部は、モータープーリ２３、ベルト２４、プーリーギア２５、中継ギア２６、カムギア２７、ギアａ２８、駆動ギア２９により構成されている。
【００３６】
また、スイッチレバー３１が、シャーシ２１の裏面軸部２１ｅに支持され、その凸部３１ａが前述のスライダー２０上のスイッチカム溝１６に沿うことで回動し、ローディング基板３０上に実装されたスイッチ３２をＯＮ／ＯＦＦする。
つぎに、ローディング装置がディスクカートリッジをローディングする場合の基本動作について説明する。図６は、前述のように構成された光磁気記録再生装置のディスクカートリッジのローディング装置の基本動作を説明する概略側面図であり、特に、スライダー２０の動作位置に対するディスクカートリッジ１０、ホルダー（Ｒ）５、ホルダー軸６、バックレバー１７、バックレバーバネ１８、シャーシ２１のカム溝２１ｃ等の位置関係を示すものである。
【００３７】
図６において、Ａはディスクカートリッジ１０を着脱する着脱位置、Ｂは記録再生ユニット２００を下降位置から上昇位置に移動するための待機位置、Ｃはディスクカートリッジ１０に対して信号を記録又は再生する記録・再生位置を示している。各位置ＡからＢにおいて、ディスクカートリッジ１０は、ホルダーユニット１００内のホールドレバー（Ｌ）２およびホールドレバー（Ｒ）３によってロックされ支持されている。
【００３８】
Ａに示すディスクカートリッジ１０の着脱位置において、セット外部よりディスクカートリッジ１０が着脱可能となっている。また、このとき記録・再生ユニット２００はスライダー２０のカム溝部２０ｂによって下方に位置している。
Ｂに示す待機位置において、着脱位置Ａより、スライダー２０上に取り付けられたバックレバー１７によりホルダーユニット１００内のディスクカートリッジ１０はホルダー軸６を介してセット内部方向のａ方向に移動する。このときバックレバー１７の凸部１７ｃがシャーシ２１のカム溝２１ｃに沿って移動するため、バックレバー１７はｃ方向へ回動する。従ってスライダー２０の移動量Ｘに比べ、ディスクカートリッジ１０の移動量Ｙをより多く移送することができる。またこの位置で、ホルダーユニット１００は、シャーシ２１のストッパー部２１ｆに当たり固定され、バックレバーバネ１８により押圧される状態となっている。
【００３９】
Ｃに示す記録・再生位置において、待機位置Ｂより、さらにスライダー２０はａ方向に移動する。このときバックレバー１７の凸部１７ｃがシャーシ２１のカム溝２１ｃに沿って移動するため、バックレバー１７はｄ方向へ回動し、ホルダーユニット１００は固定されたままの状態となる。また、スライダー２０のカム溝部２０ｂとＴＲＶフレーム１２の凸部１２ｃが係合しているため、記録再生ユニット２００の記録再生装置１１はｅ方向に回動上昇する。さらにスライダー２０がａ方向にＺ量移動する。このときヘッドシフター１３の凸部１３ｂがスライダー２０のカム溝部２０ｃに係合しているため、記録再生ユニット２００の記録再生装置１１の磁気ヘッド１１ｃをｇ方向に下降回動させ、ディスクカートリッジ１０を記録・再生状態にする。
【００４０】
従って、図６、図７に示した各位置の推移は、Ａ−Ｂ−Ｃの順にそれぞれ往復動作することになる。つまり着脱位置から記録指示又は再生指示をすれば、Ａ−Ｂ−Ｃの順に移行し、この位置より着脱指示をすればＣ−Ｂ−Ａの順に推移することとなる。
つぎに、着脱位置からのローディング開始動作について説明する。図８は、本実施の形態のディスクカートリッジのローディング装置において、着脱位置Ａからディスクカートリッジをさらに挿入してローディングを開始するときの搬送ユニット３００の動作を示す側面図であり、図９はその平面図を示す。
【００４１】
図８、図９に示す着脱位置において、ホルダーユニット１００に挿入されたディスクカートリッジ１０がホールドレバー（Ｌ）２およびホールドレバー（Ｒ）３にロックされ、その状態でディスクカートリッジ１０をさらにａ方向に押し込むと、ディスクカートリッジ１０−ホルダーユニット１００−ホルダー軸６−バックレバー１７を介して、スライダー２０がａ方向に移動させられる。
【００４２】
このとき、シャーシ２１上に装備された減速系からなる駆動ギア２９に噛み合ったスライドラック１５はほとんど動かずに、ラックバネ１９がｉ方向にたわむ。次にスライダー２０上に固定されたスイッチカム溝１６によりｋ方向に押圧されていたスイッチレバー３１がｌ方向に回動し、ローディング基板３０上のスイッチ３２をＯＦＦさせることで駆動モーター２２が動作開始し、スライダー２０をａ方向にローディングさせることになる。
【００４３】
つぎに、バックレバーバネ部の動作について説明する。図１０、図１１は、本実施の形態のディスクカートリッジのローディング装置において、着脱位置Ａ及び待機位置Ｂでのバックレバー１７部分の動作を説明する側面図である。
図１０に示す着脱位置において、ホルダーユニット１００を支持するホルダー軸６は、バックレバーバネ１８によって、バックレバー１７の孔側面１７ｄに押圧された状態になっている。
【００４４】
次に、図１１に示す待機位置において、ホルダーユニット１００はシャーシ２１のストッパー部２１ｆに当たる。このとき、ホルダー軸６はバックレバー１７の孔側面１７ｄより離れることになる。
したがって、ホルダーユニット１００がシャーシ２１のストッパー部２１ｆに押圧されている間、つまりＢ−Ｃの間、ホルダー軸６は、バックレバー１７の孔側面１７ｄから離脱し対抗面である孔側面１７ｅ側にもうけたスキマ１７ｆで、ホルダーユニット１００の停止誤差を吸収する構成をとっている。
【００４５】
つぎに、本発明の記録再生装置のローディング装置の別の実施例について説明する。
なお、上述と同様な構成については同一の符号を用い、説明を省略する。
図１２は、本発明による記録再生装置のローディング装置（携帯型）の構成を示す図である。図１２において、ローディング装置はキャビネット（図示せず）内の架台５１２の上にＲＡＭディスクカートリッジ６０を装填するためのディスクホルダ５１１が配置されている。ディスクホルダ５１１は、その後端側に架台５１２に固定されたピン５１４が挿通されて回動自在となっており、バネ（図示せず）によって時計方向すなわち先端が上方に開くように付勢されている。このディスクホルダ５１１の前面には出入口５２０が設けられており、ここからＲＡＭカートリッジ６０がディスクホルダ５１１に着脱される。
【００４６】
また、図１３に示すように架台５１２にはＬ字型のエジェクトレバー５２１が長手部５２１ａの中間部に挿入されてたピン５２５を中心として回動自在に取り付けられている。このエジェクトレバー５２１はバネ５３５によって時計方向に付勢されている。ＲＡＭディスクカートリッジ６０に対して対向する長手部５２１ａには、ＲＡＭディスクカートリッジ６０側に向けて突起部５１９が設けられている。また、図１２に示すようにＲＡＭディスクカートリッジ６０の前側が下方に向けて屈折して掛止部５１５が形成され、ここに設けられた掛止穴５１５ａが突起部５１９に掛止されるようになっている。ＲＡＭディスクカートリッジ６０の掛止部５１５を貫通させる角穴５１２ａが架台５１２に設けられている。
【００４７】
このローディング装置では、出入口５２０からディスクホルダ５１１の内部にＲＡＭディスクカートリッジ６０を装填した後、図１４に示すようにディスクホルダ５１１を下方にすなわち反時計方向に回転させる。そうすると、上述したようにディスクホルダ５１１の掛穴５１５ａがエジェクトレバー５２１の突起部５１９に掛止され、ディスクホルダ５１１は架台５１２と平行な状態すなわちＲＡＭ５２への記録又は再生位置に保持される。又、装填されたＲＡＭディスクカートリッジ６０の取り出し時には、エジェクトレバー５２１の前端である操作部５２１ｂを後方に押圧する。これによって、エジェクトレバー５２１はピン５２５を軸として反時計方向に回転する。このとき、突起部５１９がディスクホルダ５１１の掛止穴５１５ａから外れ、ディスクホルダ５１１はバネによる上方への付勢力によって時計方向に回転する。
【００４８】
さて、図１２に示すようにＲＡＭディスクカートリッジ６０がディスクホルダ５１１に装填されると、ＲＡＭディスクカートリッジ６０の両面に設けられたスライド式のシャッター５２２ａ、５２２ｂがディスクホルダ５１１の適宜な開蓋手段（図示せず）によって開蓋されて開口５２３ａ、５２３ｂが開き、ＲＡＭ５２の上下の盤面が両方とも露出するようになっている。開口５２３ａ、５２３ｂにＲＡＭ５２の半径方向に沿って長孔に成形されている。またディスクホルダ５１１の天井板５１１ａと底板５１１ｂには、開口５２３ａ、５２３ｂに重なる位置にそれぞれ開口５２４ａ、５２４ｂが形成されている。
【００４９】
キャビネットの下部にはＲＡＭ５２を回転駆動する回転支持部（図示せず）が配置されている。また架台５１２の下部には、図１４に示すようにＲＡＭ５２への記録再生用の光ピックアップ５２６を支持するピックアップ支持部５２８が配置されている。上述のように、ＲＡＭディスクカートリッジ６０が装填されたディスクホルダ５１１が反時計方向に回転して架台５１２と平行になった時に、回転支持部がＲＡＭ５２のクランピングプレート５１６ａに係合すると共に、光ピックアップ５２６が下方の開口５２３ｂ、５２４ｂ内に入り込んでＲＡＭ５２の下側の盤面に対向する。またピックアップ支持部５２８はキャビネットに設けられたガイドバー５２９ａ、５２９ｂに案内されて、水平方向（紙面の垂直方向）に移動可能になされており、これによって光ピックアップ５２６がＲＡＭ５２の径方向に移動してトラックに追従可能になっている。
【００５０】
ピックアップ支持部５２８の後方端には、ほぼＬ字形の連結板５３０がネジ止めされ、この連結板５３０の上端部には保持部５４の後端部がシャフト５３８によって回動可能なように取り付けられている。保持部５４は長尺な竿状に形成されており、その中央が僅かに屈折して、前端部が下方に傾いている。保持部５４の前端部には磁気記録部５３が固定されている。ＲＡＭ５２への記録・再生中には、図１４中に実線で示すように、保持部５４の先端が上方の開口５２３ａ、５２４ａを通って内部に入り込み、磁気記録部５３がＲＡＭ５２の上側の盤面に接触又は近接する。
【００５１】
この記録再生装置では、光ピックアップ５２６がＲＡＭ５２にレーザ光を照射してその反射光を読取ることによって、ＲＡＭ５２に記録された情報を再生する。また光ピックアップ５２６から照射したレーザ光でＲＡＭ５２の一部を暖めてそこに塗布されている磁気記録材料を活性化し、この活性化された部分に磁気記録部５３で記録情報に相当する磁界を与えると、磁気記録材料の磁界の向きが変化し、これが冷却して固定されることによって情報がＲＡＭ５２に記録される。
【００５２】
上述の連結板５３０は、保持部５４すなわち磁気ヘッド１１ｃとピックアップ支持部５２８すなわち光ピックアップ５２６とを連結しているものである。この光ピックアップ５２６を支持するピックアップ支持部５２８がガイドバー５２９ａ、５２９ｂに沿って紙面に垂直に移動すると、磁気記録部５３を支持する保持部５４もこれに同期して移動するように磁気ヘッド１１ｃは移動部５５を有する。また、図１２に示すようにディスクホルダ５１１を上方すなわち時計方向に回動する時には、これに同期してカム（図示せず）が駆動され、このカムによって保持部５４が時計方向に移動し磁気記録部５３が上昇する。また、図１４に示すようにディスクホルダ５１１を下方すなわち反時計方向に回動する時には、これに同期してカムが駆動され、このカムにより保持部５４が反時計方向に回動して磁気記録部５３が降下する。なお、図１４には説明の容易のためヘッドシフター１３は図示していない。
【００５３】
さらに、ＲＡＭ５２への記録精度を確保するため、磁気記録部５３の位置が高精度に調整されている。これによって、磁気記録部５３が降下してＲＡＭ５２に当接した時に、磁気記録部５３が所定の位置に配置されるようになっている。また、記録時に磁気記録部５３とＲＡＭ５２とが所定寸法以上離れていると、ＲＡＭ５２に作用する磁界が弱まって記録精度が悪化する。またこれとは逆に、磁気記録部５３がＲＡＭ５２に強く当接するとＲＡＭ５２に傷がついてしまう。そこで保持部５４は適度な弾性を有しており、磁気記録部５３が比較的小さな圧力でＲＡＭ５２に当接するようになっている。
【００５４】
つぎに、記録再生装置のローディング手段であるローディング装置が再生専用記録媒体又は記録再生用記録媒体を伴って記録・再生位置にある場合について説明する。
図１５〜図１９において、上述したようにローディング手段であるローディング装置は再生専用記録媒体（以下、ＲＯＭという）５１又は記録再生用記録媒体（以下、ＲＡＭという）５２が着脱可能な着脱位置とＲＯＭ５１の信号を再生し又は前記ＲＡＭ５２に信号を記録又は再生する記録・再生位置とを備えている。磁気記録手段である磁気ヘッド１１ｃはＲＡＭ５２が記録・再生位置に配置されている場合にＲＡＭ５２に対して記録される信号に応じた極性の磁界を印加するものである。規制手段であるヘッドシフター１３は磁気ヘッド１１ｃの動作を規制するものである。
【００５５】
磁気ヘッド１１ｃは磁気記録部５３と保持部５４と移動部５５とからなり、磁気記録部５３はＲＡＭ５２に記録される信号に応じた極性の磁界を印加するものであり、保持部５４は磁気記録部５３が一端に設けられており、ＲＯＭ５１又はＲＡＭ５２に対して上下方向に回動可能な構成としている。移動部５５は磁気記録部５３と保持部５４とをＲＯＭ５１又はＲＡＭ５２に対して水平方向に移動可能な構成としている。特に本実施の形態では保持部５４は磁気記録部５３が一端に設けられ他端を第１の軸６２としてＲＯＭ５１又は前記ＲＡＭ５２に対して上下方向に回動可能な構成としている。
【００５６】
ヘッドシフター１３は回動部５６と抑制部５７と規制部５８とからなり、回動部５６は保持部５４の回動に伴ってＲＯＭ５１又はＲＡＭ５２に対して上下方向に回動可能な構成とし、抑制部５７は回動部５６の一部に設けらており、保持部５４が接触する構成としている。規制部５８は回動部５６の一部であってローディング装置が記録・再生位置にある場合にＲＯＭ５１又は前記ＲＡＭ５２に相対する面に設けられている。特に本実施の形態では規制部５８は一端を第２の軸６３として保持部５４の回動に伴ってＲＯＭ５１又はＲＡＭ５２に対して上下方向に回動可能な構成としており、第１の軸６２と第２の軸６３とは異なる軸としている。また、規制部５８はローディング装置がＲＯＭ５１を伴って記録・再生位置にある場合はＲＯＭ５１を収納した筐体（以下、ＲＯＭディスクカートリッジという）５９に接触して磁気記録部５３とＲＯＭディスクカートリッジ５９とが接触しないように規制し、ローディング装置がＲＡＭ５２を伴って記録・再生位置にある場合はＲＡＭ５２を収納した筐体（以下、ＲＡＭディスクカートリッジ）６０に接触せずにＲＡＭ５２に信号を記録可能な位置まで移動可能な構成としている。特に本実施の形態ではローディング装置がＲＡＭ５２を伴って記録・再生位置にある場合、規制部５８はＲＡＭディスクカートリッジ６０の内部に設けられたＲＡＭ５２の収納位置を規制するための記録媒体規制部６１と接触することにより、磁気記録部を前記ＲＡＭ５２に信号を記録可能な位置まで移動することは可能である。しかし、ヘッドシフター１３（抑制部５７）の移動が抑制されるため、磁気記録部５３が記録可能な位置を越えて移動することを抑制する構成としている。
【００５７】
以上のような、記録再生装置において磁気ヘッド１１ｃとヘッドシフター１３とＲＯＭ５１との位置関係を説明する。
まず、ローディング装置が着脱位置にある場合の磁気ヘッド１１ｃとヘッドシフター１３とＲＯＭ５１との位置関係を図１５（ａ）に示す。ここで、この場合ＲＯＭディスクカートリッジ５９は図示する位置にないが位置関係が理解しやすいように図中に記載してある。ヘッドシフター１３は凸部１３ｂと搬送ユニット３００のカム溝との係合によりＲＯＭディスクカートリッジ５９のローディングに影響のないようにその上方に位置している。磁気ヘッド１１ｃはバネ（図示せず）により下方（ＲＯＭディスクカートリッジ５９側）に力が加えられており、その方向へ移動しようとする。しかし、磁気ヘッド１１ｃとヘッドシフター１３の抑制部５７とが接触し、ヘッドシフター１３は磁気ヘッド１１ｃが下方へ移動することを抑制していので、磁気ヘッド１１ｃもＲＯＭディスクカートリッジ５９のローディングに影響のないようにその上方に位置している。
【００５８】
つぎに、ローディング装置が記録・再生位置にある場合の磁気ヘッド１１ｃとヘッドシフター１３とＲＯＭ５１との位置関係を図１５（ｂ）に示す。
ヘッドシフター１３は凸部１３ｂと搬送ユニット３００のカム溝との係合により規制部５８とＲＯＭディスクカートリッジ５９とが接触する場所に位置している。前述のように磁気ヘッド１１ｃは下方（ＲＯＭディスクカートリッジ５９側）に移動しようとする。しかし、磁気ヘッド１１ｃとヘッドシフター１３の抑制部５７とが接触しており、規制部５８がＲＯＭディスクカートリッジ５９に接触することにより抑制部５７とＲＯＭディスクカートリッジ５９との間が磁気記録部５３の高さ以上となり、結局、抑制部５７は磁気記録部５３とＲＯＭディスクカートリッジ５９とが接触しないように規制する。
【００５９】
つぎに、記録再生装置において磁気ヘッド１１ｃとヘッドシフター１３とＲＡＭ５２との位置関係を説明する。
まず、ローディング装置が着脱位置にある場合の磁気ヘッド１１ｃとヘッドシフター１３とＲＡＭ５２との位置関係を図１７（ａ）に示す。ここで、この場合ＲＡＭディスクカートリッジ６０は図示する位置にないが位置関係が理解しやすいように図中に記載してある。ヘッドシフター１３は凸部１３ｂと搬送ユニット３００のカム溝との係合によりＲＡＭディスクカートリッジ６０のローディングに影響のないようにその上方に位置している。磁気ヘッド１１ｃはバネ（図示せず）により下方（ＲＡＭディスクカートリッジ６０側）に力が加えられており、その方向へ移動しようとする。しかし、磁気ヘッド１１ｃとヘッドシフター１３の抑制部５７とが接触し、ヘッドシフター１３は磁気ヘッド１１ｃが下方へ移動することを抑制していので、磁気ヘッド１１ｃもＲＡＭディスクカートリッジ６０のローディングに影響のないようにその上方に位置している。
【００６０】
つぎに、ローディング装置が記録・再生位置にある場合の磁気ヘッド１１ｃとヘッドシフター１３とＲＡＭ５２との位置関係を図１７（ｃ）に示す。ヘッドシフター１３は凸部１３ｂと搬送ユニット３００のカム溝との係合により規制部５８がＲＡＭディスクカートリッジ６０に設けられた開口部６２を通してＲＡＭディスクカートリッジ６０の内部に設けられたＲＡＭ５２の収納位置を規制するための記録媒体規制部６１と接触する場所に位置している。また、規制部５８はＲＡＭディスクカートリッジ６０に接触せずにＲＡＭ５２に信号を記録可能な位置まで移動できる。前述のように磁気ヘッド１１ｃは下方（ＲＡＭディスクカートリッジ６０側）に移動し、ＲＡＭ５２に信号を記録可能な位置まで移動する。しかし、ＲＡＭ５２に信号を記録可能な位置で磁気ヘッド１１ｃとヘッドシフター１３の抑制部５７とが接触するようになり、ヘッドシフター１３（抑制部５７）の移動が抑制されるため、磁気記録部５３が記録可能な位置を越えて移動することが抑制される。
【００６１】
ここで、以上のように構成される記録再生装置に用いるＲＡＭの一例を図２５を参照にして説明する。
図２５においてＲＡＭディスクカートリッジ６０は上ハーフ６０１と下ハーフ６０２とを合体して形成されたカートリッジ本体６０３と、このカートリッジ本体６０３内に回転自在に収納された光磁気ディスクＤとによって構成されている。
【００６２】
また、カートリッジ本体６０３の内部には光磁気ディスクＤを規制するための記録媒体規制部６１があり、この記録媒体規制部６１は後述する開口窓６０４ａに対して垂直方向から接触可能とし、かつヘッドシフター１３の規制部５８とこの記録媒体規制部６１が接触することによりヘッドシフター１３の振動を抑制することができる。
【００６３】
このＲＡＭディスクカートリッジ６０は記録再生用であるためカートリッジ本体６０３の上下両ハーフ６０１及び６０２には対向して、光磁気ディスクＤの一部が表出され、磁界ヘッド１１ｃ及び光ピックアップ５２６に対応される開口窓６０４ａ、６０５ａが形成され、下ハーフ６０２の略中央部には光磁気デイスクＤを回転駆動するディスク回転駆動機構のターンテーブルが挿入される円形開口部６０２ｂが形成されており、また、このカートリッジ本体６０３には開口窓６０４ａ及び６０５ａを開閉する上下の覆板部６０６ａ及び６０６ｂを有する断面略コ字状の金属薄板からなるシャッター６０６が摺動自在に取付けられている。
【００６４】
そして、このカートリッジ本体６０３の周縁部には下面側から周面側にかけて各種の検出部及び係止部が形成されており、６０３ａはカートリッジ検出ピンが挿入されカートリッジの種別を検出する検出溝で、このディスクカートリッジ１０は記録再生用であるため浅く形成してあり、また６０３ｂはロック機構の係止片が係合される係止凹部である。また、カートリッジ本体６０３の下面にはシャーシ基板の案内ピンが係合される位置決め孔６０３ｃ、６０３ｄが形成されている。
【００６５】
以上のように、本発明の実施の形態によれば、以下のような作用効果を有する。
１）ローディング装置は着脱位置と記録・再生位置のみを有しており、ＲＯＭ５１、ＲＡＭ５２の如何にかかわらずその着脱位置から記録・再生位置へ又はその逆の移動の際の磁気ヘッド１１ｃの動作を一様にしたので、構造が簡単になる。
【００６６】
すなわち、従来の光磁気記録再生装置では記録位置と再生位置とで磁気ヘッド１１ｃの動作（記録位置では磁気ヘッド１１ｃを光磁気ディスクに対して上方に位置させ、再生位置では磁気ヘッド１１ｃを光磁気ディスクに対して下方（記録可能な位置であり、近接又は接触させている）に位置させている。）を異ならせており、据置型ではカム機構・構造などによりこれを可能とし、携帯型では専用のモータによりこれを可能としていたが、これが不要となる。
【００６７】
２）第１の軸６２と第２の軸６３とを異ならせるとともに磁気ヘッド１１ｃとヘッドシフター１３とを伴ってＲＯＭ５１又はＲＡＭ５２に対して上下移動をさせているので、昇降させる比率を自由に変化することができる。例えば、磁気ヘッド１１ｃの第１の軸６２を第２の軸６３より開口窓に近い位置とすると、ヘッドシフター１３を小さく回動するだけで、磁気ヘッド１１ｃが大きく回動することとなる。
【００６８】
３）ヘッドシフター１３は凸部１３ｂと搬送ユニット３００のカム溝との係合により規制されており、磁気記録部５３が記録可能な位置を越えて移動することが抑制されるため、外部からの振動により磁気記録部５３が振動がＲＡＭ５２やＲＯＭ又はＲＡＭカートリッジ５９、６０などに衝突し磁気記録部５３及びＲＡＭ５２などが破損することを抑制できる。
【００６９】
４）さらに、ヘッドシフター１３の規制部５８がＲＡＭディスクカートリッジ６０に設けられた開口部６２を通してＲＡＭディスクカートリッジ６０の内部に設けられたＲＡＭ５２の収納位置を規制するための記録媒体規制部６１と接触してヘッドシフター１３自体の振動を抑制するので、さらに磁気記録部５３が記録可能な位置を越えて移動することが抑制されるため、外部からの振動により磁気記録部５３が振動がＲＡＭ５２やＲＯＭ又はＲＡＭカートリッジ５９、６０などに衝突し磁気記録部５３及びＲＡＭ５２などが破損することを抑制できる。
【００７０】
（実施の形態２）
つぎに、本発明の第２の実施の形態について説明する。なお、上記の実施の形態と同様の構成については同じ符号を用い説明を省略する。
上記第１の実施の形態において、ローディング装置の動作は同様の構成である。
【００７１】
つぎに、記録再生装置のローディング手段であるローディング装置が再生専用記録媒体又は記録再生用記録媒体を伴って記録・再生位置にある場合について説明する。
図２０〜図２４において、ヘッドシフター１３は回動部５６と抑制部５７と第１の規制部６４と第２の規制部６５とからなり、第１の規制部６４及び第２の規制部６５は回動部５６の一部であってローディング装置が記録・再生位置にある場合にＲＯＭ５１又はＲＡＭ５２に相対する面に設けられている。また、第１の規制部６４はローディング装置がＲＯＭ５１を伴って記録・再生位置にある場合にＲＯＭカートリッジ５９に接触して磁気記録部５３とＲＯＭカートリッジ５９とが接触しないように規制し、ローディング装置がＲＡＭ５２を伴って記録・再生位置にある場合はＲＡＭディスクカートリッジ６０に接触しない構成としている。また、第２の規制部６５はローディング装置がＲＡＭ５２を伴って記録・再生位置にある場合にＲＡＭディスクカートリッジ６０の外側に接触し磁気記録部５３をＲＡＭ５２に信号を記録可能な位置まで移動可能とし、さらにこの記録可能な位置を越えて移動することを抑制する構成としている。
【００７２】
以上のような、記録再生装置において磁気ヘッド１１ｃとヘッドシフター１３とＲＯＭ５１との位置関係を説明する。
まず、ローディング装置が着脱位置にある場合の磁気ヘッド１１ｃとヘッドシフター１３とＲＯＭ５１との位置関係を図２０（ａ）に示す。ここで、この場合ＲＯＭディスクカートリッジ５９は図示する位置にないが位置関係が理解しやすいように図中に記載してある。ヘッドシフター１３は凸部１３ｂと搬送ユニット３００のカム溝との係合によりＲＯＭディスクカートリッジ５９のローディングに影響のないようにその上方に位置している。磁気ヘッド１１ｃはバネ（図示せず）により下方（ＲＯＭディスクカートリッジ５９側）に力が加えられており、その方向へ移動しようとする。しかし、磁気ヘッド１１ｃとヘッドシフター１３の抑制部５７とが接触し、ヘッドシフター１３は磁気ヘッド１１ｃが下方へ移動することを抑制していので、磁気ヘッド１１ｃもＲＯＭディスクカートリッジ５９のローディングに影響のないようにその上方に位置している。
【００７３】
つぎに、ローディング装置が記録・再生位置にある場合の磁気ヘッド１１ｃとヘッドシフター１３とＲＯＭ５１との位置関係を図２０（ｂ）に示す。
ヘッドシフター１３は凸部１３ｂと搬送ユニット３００のカム溝との係合により第１の規制部６４とＲＯＭディスクカートリッジ５９とが接触する場所に位置している。前述のように磁気ヘッド１１ｃは下方（ＲＯＭディスクカートリッジ５９側）に移動しようとする。しかし、磁気ヘッド１１ｃとヘッドシフター１３の抑制部５７とが接触しており、第１の規制部６４がＲＯＭディスクカートリッジ５９に接触することにより抑制部５７とＲＯＭディスクカートリッジ５９との間が磁気記録部５３の高さ以上となり、結局、抑制部５７は磁気記録部５３とＲＯＭディスクカートリッジ５９とが接触しないように規制する。
【００７４】
つぎに、記録再生装置において磁気ヘッド１１ｃとヘッドシフター１３とＲＡＭ５２との位置関係を説明する。
まず、ローディング装置が着脱位置にある場合の磁気ヘッド１１ｃとヘッドシフター１３とＲＡＭ５２との位置関係を図２２（ａ）に示す。ここで、この場合ＲＡＭディスクカートリッジ６０は図示する位置にないが位置関係が理解しやすいように図中に記載してある。ヘッドシフター１３は凸部１３ｂと搬送ユニット３００のカム溝との係合によりＲＡＭディスクカートリッジ６０のローディングに影響のないようにその上方に位置している。磁気ヘッド１１ｃはバネ（図示せず）により下方（ＲＡＭディスクカートリッジ６０側）に力が加えられており、その方向へ移動しようとする。しかし、磁気ヘッド１１ｃとヘッドシフター１３の抑制部５７とが接触し、ヘッドシフター１３は磁気ヘッド１１ｃが下方へ移動することを抑制していので、磁気ヘッド１１ｃもＲＡＭディスクカートリッジ６０のローディングに影響のないようにその上方に位置している。
【００７５】
つぎに、ローディング装置が記録・再生位置にある場合の磁気ヘッド１１ｃとヘッドシフター１３とＲＡＭ５２との位置関係を図２２（ｃ）に示す。ヘッドシフター１３は凸部１３ｂと搬送ユニット３００のカム溝との係合により第１の規制部６４はＲＡＭディスクカートリッジ６０に設けられた開口部６２を通過してＲＡＭディスクカートリッジ６０に接触しない。また、第２の規制部６５はＲＡＭディスクカートリッジ６０の外側に接触している。前述のように磁気ヘッド１１ｃは下方（ＲＡＭディスクカートリッジ６０側）に移動し、ＲＡＭ５２に信号を記録可能な位置まで移動する。しかし、ＲＡＭ５２に信号を記録可能な位置で磁気ヘッド１１ｃとヘッドシフター１３の抑制部５７とが接触するようになり、ヘッドシフター１３（抑制部５７）の移動が抑制されるため、磁気記録部５３が記録可能な位置を越えて移動することが抑制される。
【００７６】
以上のように、本発明の実施の形態によれば、以下のような作用効果を有する。
１）ローディング装置は着脱位置と記録・再生位置のみを有しており、ＲＯＭ５１、ＲＡＭ５２の如何にかかわらずその着脱位置から記録・再生位置へ又はその逆の移動の際の磁気ヘッド１１ｃの動作を一様にしたので、構造が簡単になる。
【００７７】
すなわち、従来の光磁気記録再生装置では記録位置と再生位置とで磁気ヘッド１１ｃの動作（記録位置では磁気ヘッド１１ｃを光磁気ディスクに対して上方に位置させ、再生位置では磁気ヘッド１１ｃを光磁気ディスクに対して下方（記録可能な位置であり、近接又は接触させている）に位置させている。）を異ならせており、据置型ではカム機構・構造などによりこれを可能とし、携帯型では専用のモータによりこれを可能としていたが、これが不要となる。
【００７８】
２）第１の軸６２と第２の軸６３とを異ならせるとともに磁気ヘッド１１ｃとヘッドシフター１３とを伴ってＲＯＭ５１又はＲＡＭ５２に対して上下移動をさせているので、昇降させる比率を自由に変化することができる。例えば、磁気ヘッド１１ｃの第１の軸６２を第２の軸６３より開口窓に近い位置とすると、ヘッドシフター１３を小さく回動するだけで、磁気ヘッド１１ｃが大きく回動することとなる。
【００７９】
３）ヘッドシフター１３は凸部１３ｂと搬送ユニット３００のカム溝との係合により規制されており、磁気記録部５３が記録可能な位置を越えて移動することが抑制されるため、外部からの振動により磁気記録部５３が振動がＲＡＭ５２やＲＯＭ又はＲＡＭカートリッジ５９、６０などに衝突し磁気記録部５３及びＲＡＭ５２などが破損することを抑制できる。
【００８０】
４）さらに、ヘッドシフター１３の第２の規制部６５がＲＡＭディスクカートリッジ６０に設けられた開口部６２を通してＲＡＭディスクカートリッジ６０の内部に設けられたＲＡＭ５２の収納位置を規制するための記録媒体規制部６１と接触してヘッドシフター１３自体の振動を抑制するので、さらに磁気記録部５３が記録可能な位置を越えて移動することが抑制されるため、外部からの振動により磁気記録部５３が振動がＲＡＭ５２やＲＯＭ又はＲＡＭカートリッジ５９、６０などに衝突し磁気記録部５３及びＲＡＭ５２などが破損することを抑制できる。
【００８１】
なお、本実施の形態では回動部５５の構成は台形状の枠で構成したが、四角形状の枠など開口部を有する板材又は部材であればよく、好ましくはこの開口部内を水平方向に磁気記録手段である磁気ヘッド１１ｃが移動し、その際に抑制部５７と磁気ヘッド１１ｃが接触している構成とすればよい。
また、規制部５８は回動部５５の他端に設けたが、磁気記録手段である磁気ヘッド１１ｃをＲＯＭ５１又はＲＡＭ５２の着脱位置と記録・再生位置との間を移動する際に、ＲＯＭ５１又はＲＡＭ５２が移動可能なように磁気ヘッド１１ｃを上方に位置させる構成とすればよい。
【００８２】
【発明の効果】
以上のように本発明は以下のような作用効果を有する。
１）ローディング装置は着脱位置と記録・再生位置のみを有しており、ＲＯＭ５１、ＲＡＭ５２の如何にかかわらずその着脱位置から記録・再生位置へ又はその逆の移動の際の磁気ヘッド１１ｃの動作を一様にしたので、構造が簡単になる。
【００８３】
すなわち、従来の光磁気記録再生装置では記録位置と再生位置とで磁気ヘッド１１ｃの動作（記録位置では磁気ヘッド１１ｃを光磁気ディスクに対して上方に位置させ、再生位置では磁気ヘッド１１ｃを光磁気ディスクに対して下方（記録可能な位置であり、近接又は接触させている）に位置させている。）を異ならせており、据置型ではカム機構・構造などによりこれを可能とし、携帯型では専用のモータによりこれを可能としていたが、これが不要となる。
【００８４】
２）第１の軸６２と第２の軸６３とを異ならせるとともに磁気ヘッド１１ｃとヘッドシフター１３とを伴ってＲＯＭ５１又はＲＡＭ５２に対して上下移動をさせているので、昇降させる比率を自由に変化することができる。例えば、磁気ヘッド１１ｃの第１の軸６２を第２の軸６３より開口窓に近い位置とすると、ヘッドシフター１３を小さく回動するだけで、磁気ヘッド１１ｃが大きく回動することとなる。
【００８５】
３）ヘッドシフター１３は凸部１３ｂと搬送ユニット３００のカム溝との係合により規制されており、磁気記録部５３が記録可能な位置を越えて移動することが抑制されるため、外部からの振動により磁気記録部５３が振動がＲＡＭ５２やＲＯＭ又はＲＡＭカートリッジ５９、６０などに衝突し磁気記録部５３及びＲＡＭ５２などが破損することを抑制できる。
【００８６】
４）さらに、ヘッドシフター１３の規制部５８又は第２の規制部６５がＲＡＭディスクカートリッジ６０に設けられた開口部６２を通してＲＡＭディスクカートリッジ６０の内部に設けられたＲＡＭ５２の収納位置を規制するための記録媒体規制部６１と接触してヘッドシフター１３自体の振動を抑制するので、さらに磁気記録部５３が記録可能な位置を越えて移動することが抑制されるため、外部からの振動により磁気記録部５３が振動がＲＡＭ５２やＲＯＭ又はＲＡＭカートリッジ５９、６０などに衝突し磁気記録部５３及びＲＡＭ５２などが破損することを抑制できる。
【図面の簡単な説明】
【図１】本発明の実施の形態の記録再生装置のローディング装置（据置型）の斜視図
【図２】同実施の形態におけるホルダーユニットの分解斜視図
【図３】同実施の形態における記録再生ユニットの分解斜視図
【図４】同実施の形態における搬送ユニットの分解斜視図
【図５】同実施の形態におけるシャーシユニットの分解斜視図
【図６】同実施の形態の着脱位置及び記録・再生位置でのバックレバーの動作説明図
【図７】同実施の形態の着脱位置及び記録・再生位置での記録再生ユニットの動作説明図
【図８】同実施の形態の着脱位置からのローディング開始動作を説明する側面図
【図９】同実施の形態の着脱位置からのローディング開始動作を説明する平面図
【図１０】同実施の形態の着脱位置におけるバックレバーバネ部の詳細側面図
【図１１】同実施の形態の待機位置におけるバックレバーバネ部の詳細側面図
【図１２】本発明の別の実施の形態の記録再生装置のローディング装置（携帯型）の斜視図
【図１３】同実施の形態の上面図
【図１４】同実施の形態の断面図
【図１５】本発明の第１の実施の形態である記録再生装置の磁気ヘッドとヘッドシフターとＲＯＭとの位置関係を示す一部破断面図
【図１６】本発明の第１の実施の形態である記録再生装置の磁気ヘッドとヘッドシフターとＲＯＭとの位置関係を示す上面図
【図１７】本発明の第１の実施の形態である記録再生装置の磁気ヘッドとヘッドシフターとＲＡＭとの位置関係を示す一部破断面図
【図１８】本発明の第１の実施の形態である記録再生装置の磁気ヘッドとヘッドシフターとＲＡＭとの位置関係を示す上面図
【図１９】本発明の第１の実施の形態である記録再生装置の磁気ヘッドとヘッドシフタとＲＯＭ又はＲＡＭとの位置関係を示す斜視図
【図２０】本発明の第２の実施の形態である記録再生装置の磁気ヘッドとヘッドシフターとＲＯＭとの位置関係を示す一部破断面図
【図２１】本発明の第２の実施の形態である記録再生装置の磁気ヘッドとヘッドシフターとＲＯＭとの位置関係を示す上面図
【図２２】本発明の第２の実施の形態である記録再生装置の磁気ヘッドとヘッドシフターとＲＡＭとの位置関係を示す一部破断面図
【図２３】本発明の第２の実施の形態である記録再生装置の磁気ヘッドとヘッドシフターとＲＡＭとの位置関係を示す上面図
【図２４】本発明の第２の実施の形態である記録再生装置の磁気ヘッドとヘッドシフタとＲＯＭ又はＲＡＭとの位置関係を示す斜視図
【図２５】（ａ）は本発明のＲＡＭディスクカートリッジの表面のシャッターを閉じた状態を示す斜視図
（ｂ）は本発明のＲＡＭディスクカートリッジの表面のシャッターを開いた状態を示す斜視図
（ｃ）は本発明のＲＡＭディスクカートリッジの裏面のシャッターを閉じた状態を示す斜視図
【図２６】従来の記録再生装置を示す斜視図
【図２７】
（ａ）は従来のＲＡＭディスクカートリッジの表面のシャッターを閉じた状態を示す斜視図
（ｂ）は従来のＲＡＭディスクカートリッジの表面のシャッターを開いた状態を示す斜視図
【図２８】従来のＲＡＭディスクカートリッジの裏面のシャッターを閉じた状態を示す斜視図
【図２９】（ａ）は従来のＲＯＭディスクカートリッジの表面の状態を示す斜視図
（ｂ）は従来のＲＯＭディスクカートリッジの裏面の状態を示す斜視図
【符号の説明】
１１ｃ    磁気ヘッド
１３  ヘッドシフター
１５  スライドラック
１７  バックレバー
１８  バックレバーバネ
１００  ホルダーユニット
２００  記録再生ユニット
３００  搬送ユニット
４００  シャーシユニット
【図１】
0003550922.tif 000002
【図２】
0003550922.tif 000003
【図３】
0003550922.tif 000004
【図４】
0003550922.tif 000005
【図５】
0003550922.tif 000006
【図６】
0003550922.tif 000007
【図７】
0003550922.tif 000008
【図８】
0003550922.tif 000009
【図９】
0003550922.tif 000010
【図１０】
0003550922.tif 000011
【図１１】
0003550922.tif 000012
【図１２】
0003550922.tif 000013
【図１３】
0003550922.tif 000014
【図１４】
0003550922.tif 000015
【図１５】
0003550922.tif 000016
【図１６】
0003550922.tif 000017
【図１７】
0003550922.tif 000018
【図１８】
0003550922.tif 000019
【図１９】
0003550922.tif 000020
【図２０】
0003550922.tif 000021
【図２１】
0003550922.tif 000022
【図２２】
0003550922.tif 000023
【図２３】
0003550922.tif 000024
【図２４】
0003550922.tif 000025
【図２５】
0003550922.tif 000026
【図２６】
0003550922.tif 000027
【図２７】
0003550922.tif 000028
【図２８】
0003550922.tif 000029
【図２９】
0003550922.tif 000030